(57)【要約】開示されたアナモフィック・イメージングシステムは、有効な映像領域の使用を最大化することにより、ディスプレイ倍率およびディスプレイ倍率による映像劣化を最小化し、撮影時にアナモフィック・スクィーズする量を低減することにより、アナモフィック方式による映像劣化を低下させるとともに、フィルムアプリケーションにおいて、高さが３連続穿孔しかないフィルムフレームを利用することにより、必要とされる原板フィルムの量を低減する。フィルムまたはデジタルのいずれかのアプリケーション用のフレームは、大略１６：９のアスペクト比を備え、３連続穿孔フレームまたはデジタル映像の全有効フレーム領域内に含まれ、映像を最大化するサイズに形成される。好適な実施の形態において映像撮影領域は、大略０．９００インチ幅および大略０．５０６インチ高さである。
2007532948.tif 000002
【特許請求の範囲】
【請求項１】
撮影映像のアスペクト比がディスプレイのアスペクト比と異なる場合、原板の撮影時に、前記映像の映像品質を最大化するように、前記映像を撮影する方法であって、
原板の撮影時に、大略、前記ディスプレイアスペクト比を前記撮影映像アスペクト比で割った値に、撮影レンズのアナモフィック比を選択し、
全有効フレーム領域を可能な限り利用するサイズに形成されたフレーム内で、前記映像を撮影する、ことを特徴とする、方法。
【請求項２】
前記全有効フレーム領域は、フィルムの左および右側で、規則的な連続穿孔を含むフィルムにおいて、高さが３連続穿孔以下で、幅が前記フィルムの前記左および右側における前記連続穿孔間の間隔以下であることを特徴とする、請求項１に記載の方法。
【請求項３】
さらに、前記アナモフィック比を大略１．３４：１に選択する、ことを特徴とする、請求項２に記載の方法。
【請求項４】
さらに、前記撮影映像がデジタル映像フレームの寸法内に適合可能なように、前記アナモフィック比を選択する、ことを特徴とする、請求項１に記載の方法。
【請求項５】
さらに、
前記アナモフィック比を選択し、
大略０．９００インチ高さと大略０．５０６インチ高さの映像撮影領域を与えるように、前記フレームのサイズを形成する、ことを特徴とする、請求項１に記載の方法。
【請求項６】
請求項１に記載の方法に従って撮影映像から、公開用プリント映像を生成する方法であって、
前記映像を垂直に引き延ばし、
デジタル処理技術を利用して中間映像を生成し、
デジタル処理技術を用いて、水平と垂直の両方向に前記中間映像を再サンプリングすることにより、前記公開用プリント映像を生成する、ことを特徴とする方法。
【請求項７】
さらに、
前記映像を、垂直方向に大略４９％だけ引き延ばし、
前記中間映像を、前記水平と垂直の両方向に、大略９．３％だけ再サンプリングする、ことを特徴とする、請求項６に記載の方法。
【請求項８】
請求項１に記載の方法に従って撮影映像から、公開用プリント映像生成する方法であって、
デジタル処理技術を利用して、前記水平方向に前記映像スクィーズすることにより、中間映像を生成し、
デジタル処理技術を用いて、水平と垂直の両方向に前記中間映像を再サンプリングすることにより、前記公開用プリント映像を生成する、ことを特徴とする方法。
【請求項９】
さらに、
前記映像を、前記水平方向に大略４９％だけスクィーズし、
前記中間映像を、前記水平と垂直の両方向に、大略３６．４％だけ再サンプリングする、ことを特徴とする、請求項８に記載の方法。
【請求項１０】
映像を撮影するアナモフィック・イメージングシステムであって、
前記映像を、全有効フレーム領域内に適合した映像撮影領域に、水平方向にスクィーズするアナモフィック・レンズを有し、
前記アナモフィック・レンズは、アスペクト比を大略１６：９に保持するとともに、前記全有効フレーム領域の幅を可能な限り利用することにより、水平スクィーズ比が前記映像撮影領域と映像品質を最大化するように選択されることを特徴とする、アナモフィック・イメージングシステム。
【請求項１１】
前記全有効フレーム領域は、フィルムの左および右側で、規則的な連続穿孔を含むフィルムにおいて、高さが３連続穿孔以下で、幅が前記フィルムの前記左および右側における前記連続穿孔間の間隔以下であることを特徴とする、請求項１０に記載のアナモフィック・イメージングシステム。
【請求項１２】
前記アナモフィック・レンズは、水平スクィーズが大略１．３４：１であることを特徴とする、請求項１０に記載のアナモフィック・イメージングシステム。
【請求項１３】
前記アナモフィック・レンズは、前記映像撮影領域がデジタル映像フレームの前記寸法内に適合可能なように、水平スクィーズを選択することを特徴とする、請求項１０に記載のアナモフィック・イメージングシステム。
【請求項１４】
さらに、前記撮影映像を垂直に引き延ばすことにより、中間映像を生成し、水平と垂直の両方向に前記中間映像を再サンプリングすることにより、公開用プリント映像を生成する、ようにプログラムされたデジタル映像プロセッサを有することを特徴とする、請求項１０に記載のアナモフィック・イメージングシステム。
【請求項１５】
前記デジタル映像プロセッサは、さらに、前記映像を、前記垂直方向に大略４９％だけ引き延ばし、前記中間映像を、前記水平と垂直の両方向に再サンプリングする、ようにプログラムされたことを特徴とする、請求項１４に記載のアナモフィック・イメージングシステム。
【請求項１６】
さらに、前記撮影映像を水平にスクィーズすることにより、中間映像を生成し、水平と垂直の両方向に前記中間映像を再サンプリングすることにより、公開用プリント映像を生成する、ようにプログラムされたデジタル映像プロセッサを有することを特徴とする、請求項１０に記載のアナモフィック・イメージングシステム。
【請求項１７】
前記デジタル映像プロセッサは、さらに、前記映像を、前記水平方向に大略４９％だけスクィーズし、前記中間映像を、前記水平と垂直の両方向に再サンプリングする、ことを特徴とする、請求項１６に記載のアナモフィック・イメージングシステム。
【発明の詳細な説明】
【技術分野】
【０００１】
関連出願に対するクロスレファレンス
本出願は、米国仮出願：Ｎｏ．６０／５６０８００、出願日：２００４年４月７日、名称：アナモフィック３連続穿孔イメージングシステム、の優先権を主張するものであって、米国出願：Ｎｏ．１０／９２３２８９、出願日：２００４年８月２０日、名称：アナモフィック・イメージングシステム、に関係する出願でもある。これら出願の内容は、この明細書の内容を構成するものとして援用される。
【０００２】
本発明は、撮像フォーマットのアスペクト比が一般に認められた標準規格であり、ディスプレイのアスペクト比が別の値ではあるが一般に認められた標準規格により表される場合において、一般に、映像品質を最適化することに関する。
【背景技術】
【０００３】
１９５０年代の早期において、テレビジョンの脅威が予測された結果として、映画は種々のワイドスクリーンフォーマットで公開され初めた。この時点まで、長編映画およびテレビジョン番組の大多数は、アスペクト比が１．３３：１（４：３）のフレームで公開されていた。多数のワイドスクリーンフォーマットが１９５０年代に導入されたが、一般に１．８５（球状レンズを用い、寸法が０．８２５インチ幅および０．４４６インチ高さで、アスペクト比が１．８５：１の撮影ショット）として知られる１．３３：１アスペクト比のトリミング版と、パナビジョンＴＭ、すなわち水平スクィーズが２：１でアスペクト比が２．４０：１（０．８２５インチ幅および０．６９０インチ高さ）のアナモフィック光学系だけが、公開用プリントフォーマットとして今日まで残存しているにすぎない。
【０００４】
パナビジョンＴＭアナモフィック・フォーマット
パナビジョンＴＭアナモフィック２．４０：１ワイドスクリーン・システムは、その優れたスクリーン映像品質のため、一般に多数の映画に選ばれている。パナビジョンＴＭは、２０世紀フォックスによってシネマスコープＴＭとして導入された早期のアナモフィック・システムに対する改良品であった。シネマスコープＴＭは、アナモフィック・レンズを用いることにより、撮影時に光学映像を有効なフィルムフレームにスクィーズしていた。（アナモフィック・レンズは、本質的に非点収差状であり、水平方向の倍率は垂直方向の倍率と異なる。）
【０００５】
図１は、パナビジョンＴＭアナモフィック・フォーマットを用いて生成されたフィルムフレームに対する、ＳＭＰＴＥ１９５−２０００映写アパーチャ標準規格を示す。領域１００は、全カメラアパーチャであるが、領域１０２（アスペクト比が大略１．２：１）は、実際に映写されるフィルムフレームの部分である。領域１０２内の光学映像は、２：１の比率にスクィーズされていた。それゆえ代表的映像１０４は、長円形として見えるが、実際には円形映像が撮影されている。
【０００６】
次に原板フィルムは、図１のフォーマットを改変したりもしくは操作したりすること無しに、公開用プリントフィルムに直接に変換される。公開用プリントフィルムを映写する場合、別のアナモフィック・レンズが、映像のスクィーズを元に戻すため用いられる。映写時にスクィーズを元に戻す場合、領域１０２はアスペクト比が大略２．４０：１であり、長円形状の代表的映像１０４は、正確な円形に戻される。
【０００７】
アナモフィック方式は、典型的には、フィルムフレーム上の有効な映像領域を最大化するため用いられる。標準規格のパナビジョンＴＭアナモフィック映写アパーチャは、０．８２５インチ×０．６９０インチであり、映像領域は０．５６９平方インチとなる。（図１とともにＳＭＰＴＥ標準規格を参照）。１．８５：１、すなわち大略０．３６８平方インチの領域を備えた０．８２５×０．４４６の球状ワイドスクリーンフォーマットと比較した場合、パナビジョンＴＭアナモフィック・フォーマットは、５５％増しのフィルム領域を備える。一般に、アナモフィック光学系は、球状光学系より劣り、低品質の映像を生成する。アナモフィック方式の（スクィーズする、または引き延ばす）量を大きくすればするほど、映像劣化の程度は大きくなる。それにもかかわらず、パナビジョンＴＭアナモフィック・フォーマットは、１．８５：１球状フォーマットに比較して、増加した映像領域が劇場スクリーン上の映像を映写するのに必要な倍率の量を減少させるので、全体的映像品質を改善する。例えば、（従来の映画館のように）１５フィート高さの映像を映写するため、１．８５：１フォーマットは垂直方向に４０４映像倍率を必要とするのに対して、パナビジョンＴＭアナモフィック・フォーマットは垂直方向に２６１映像倍率を必要とする。同等の視距離から見た場合、倍率と映像劣化の間には直接の相関性がある。１．８５：１フォーマットではより大きい倍率が必要とされるため、１．８５：１フォーマットで映写される場合、パナビジョンＴＭアナモフィック・フォーマットに比較して、フィルムフレームにおけるフィルム粒子、フィルム塵、またはその他の欠陥は、より大きく見える。
【０００８】
注目すべきは、図１のパナビジョンＴＭフレームが、中心からずれており、光学式サウンドトラック用に領域１０６を残していることである。歴史的には、原板フィルムがフィルムのもう一つの部分と接触し、サウンドトラックをフィルムのその部分に光学式に記録することで公開用プリントフィルムを生成するため、中心からずれ右に移動したフレーム（別名「アカデミーフレーム」）を生成するこの技術が、発展してきた。現在でも、この光学式サウンドトラックは、公開用プリントフィルムに必要である。それゆえ原板フィルムは、依然としてしばしば「アカデミー中心」で撮影され、光学式で記録されたサウンドトラックやその他のデジタルサウンドトラック用の余地を残している。
【０００９】
図１は、フィルムの両側に沿った連続穿孔（パーフォレーション）１０８を示す。連続穿孔１０８は、フィルムを送るため、カメラ内部のプルダウン機構により使用される。圧倒的多数のフィルムカメラや映写機は、フレーム毎に４連続穿孔をプルダウンする機構を用いており、それゆえ、図１に示されるパナビジョンＴＭフレームは、４連続穿孔にわたる高さを備える。
【００１０】
撮影時に光学式サウンドトラックを保持する３連続穿孔フォーマット
「映画を制作する方法」という名称で、１９７５年２月１１日、ミクロス・レント（Ｍｉｋｌｏｓ  Ｌｅｎｔｅ）に付与された米国特許番号３８６５７３８（以下「レント特許」と呼ぶ）は、原板フィルムを節約するため、高さが３連続穿孔の３５ｍｍフレームを用いたシステムを説明している。しかしながら、この節約法は劇場公開用プリントフィルムには適用されない。レント特許システムが、原板フィルムを、フレーム毎に標準規格の４連続穿孔を備えた公開用プリントフィルムに変換するように、想定していたためである。
【００１１】
レント特許は、アカデミー中心の映像を撮影するとともに、その映像は水平スクィーズを３連続穿孔フレーム内の原板フィルム上に有し、光学式サウンドトラックをフレームの左端に保持することを想定していた（レント特許の図６を参照）。次にこの原板フィルムは、光学ベンチ上の光学式プリント機を用いて、垂直方向に光学式に映像を引き延ばすことにより、フレーム毎に４連続穿孔（レント特許の図８を参照）を備えた従来のプリントフィルムに変換される。次に、従来のプリントフィルムは、２：１アナモフィック映写レンズを備え、フレーム毎に４連続穿孔をプルダウンする機構を備えた従来の映写機において使用される。この場合もやはり、映写用に抽出された原板ネガの映像領域は、標準規格のパナビジョンＴＭアナモフィック映写アパーチャよりも小さい。光学式プリント機を用いて、公開用プリントフィルムへの映写変換用に抽出すことにより、また、ネガ映像領域がより小さいため、映写時に必要となる倍率が追加されることにより、映像は劣化し、それゆえパナビジョンＴＭアナモフィック・フォーマットに比較して低品質になる。
【００１２】
レントは、また、１９７６年６月アメリカン・シネマトグラファ発行の「トリレント−３５システム案」（以下「レント論文」と呼ぶ）を著した。レント論文は、同様な映像品質の限界を有するレント特許に類似のシステムを開示した（上述したレント論文の図７および８を参照）。
【００１３】
同様に、フレーム毎に３連続穿孔だけ備えた３５ｍｍネガが、ルネ・エリクソンによりアメリカン・シネマトグラファ発行の１９８６年７月版「将来の３連続穿孔」で、開示された（以下「エリクソン」と呼ぶ）。エリクソンは、フィルムコストを節約するため、原板フィルムと公開用プリントの両方に、３連続穿孔フレームを使用することを提案した。エリクソンは、撮影時にアナモフィック方式を使用せずにプリントフレームを１．８５：１アスペクト比とするため、映像領域を３連続穿孔フレーム内とし、光学式サウンドトラックをフレームの左端に保持することを想定した。しかしながら３連続穿孔による高品質の公開用プリントには３連続穿孔映写機が必要になるが、これは映画産業に一度も採用されていない。原板フィルムは、球状レンズを用いて撮影され、光学式プリント機を用いて変換する必要はないので、撮影時にアナモフィック・レンズを使用し、光学式プリント機で公開用プリントフィルムに変換する結果生じる映像劣化は、避けられる。ただし、エリクソンの実施の形態の映像領域が、０．５６９平方インチを有する標準規格のパナビジョンＴＭアナモフィック映写アパーチャよりも小さいことには、留意する必要がある。このように、撮影時に、または光学式プリント機における変換時に、映像はアナモフィック方式により劣化することはないが、全体的映像品質は、映写時に倍率の増加を必要とするため、パナビジョンＴＭアナモフィック・フォーマットに比較して劣る。
【００１４】
撮影時に光学式サウンドトラックを排除する３連続穿孔フォーマット
上述のように、ほとんどの原板フィルムは、依然として中心をずらして撮影され、光学式で記録されたサウンドトラックやその他のデジタルトラック用の余地を残している。実際上、この慣行はフィルム領域の浪費であり、絶対に必要なものではない。なぜならば、ネガフィルムが公開用プリントフィルムに変換される場合、映像はアカデミー中心にできるからである。ネガフィルムが高コストのため、撮影時に連続穿孔から連続穿孔までフレーム幅を拡張することにより、サウンドトラック用に予約された領域を使用する提案が、以前になされていた（別名「フィルム中心」）。当然、ネガフィルムは、依然としてアカデミー中心に合わせた公開用プリントフィルムに変換する必要がある。
【００１５】
さらに、原板フィルムネガの高コストのため、４連続穿孔から３連続穿孔にフレームの高さを低減し、サウンドトラック用に予約された領域を取り除く対策が、以前に提案されていた。例えば、Ｎ．Ｄ．バーンスタイン、Ｍ．Ｚ．ヴィソーツキー、およびＢ．Ｎ．コノプレフにより、ＳＭＰＴＥジャーナル、８２巻、１９７３年９月号に掲載された「フィルム制作用のユニバーサルフォーマット」（以下「バーンスタイン」と呼ぶ）において、フレーム毎に３連続穿孔だけ備えた３５ｍｍネガが、開示された（図２を参照）。４連続穿孔の代わりに、フレーム毎に３連続穿孔をプルダウンすることにより、原板フィルムを２５％節約できることが理解される。しかしながら、この節約法は公開用プリントフィルムに適用されない。なぜならばバーンスタインは、原板フィルムを、フレーム毎に標準規格の４連続穿孔を備えた公開用プリントフィルムに変換することを想定していたからである。
【００１６】
バーンスタインおよびエリクソンは、両者とも、３連続穿孔フレーム内のワイドスクリーン映像領域（図２を参照）を想定し、プリントフレームを２．３５：１（現在では２．４０：１）のアスペクト比とするため、フレームの左端に光学式サウンドトラック用の余地を残さないようにしていた。バーンスタインおよびエリクソンは、両者とも、撮影時にアナモフィック方式が何も必要とされないことを教えている。代替案として、原板フィルムは、図１の領域１０６のように、光学式サウンドトラック用にフレームの左端に領域を備えた４連続穿孔アナモフィック中間ネガに、光学式プリント機を用いて変換する必要があることを、バーンスタインは教え、エリクソンは言及している。この変換は、映像を水平方向にスクィーズし拡大するか、または代案として映像を垂直方向に引き延ばし縮小するかのいずれであっても２つの動作を必要とし、それぞれの動作は映像劣化の一因となる。バーンスタインのこの実施の形態における映像領域は、０．６１６平方インチ（０．８３８インチ×０．７３５インチ）を有する標準規格のパナビジョンＴＭアナモフィック・カメラアパーチャに比較して、０．４１２平方インチにすぎないことに留意する必要がある。それゆえ映像は、公開用プリントフィルムへのアナモフィック変換と、映写時に必要となる倍率の増加により劣化し、その結果、パナビジョンＴＭアナモフィック・フォーマットと比較した場合、低品質になる。エリクソンでは、撮影時にアナモフィック方式が必要となることも、公開用プリントへの変換が必要になることもない。なぜならば、エリクソンは、２．３５：１アスペクト比、現在ではサウンド無しで（２．４０：１）アスペクト比、を備えた３連続穿孔における公開用プリントを想定していたからである。エリクソンのこの実施の形態における映像領域は、同様に、標準規格のパナビジョンＴＭアナモフィック映写アパーチャよりも小さいことに留意する必要がある。それゆえ映像は、映写時に必要とされる倍率の増加により、劣化し、パナビジョンＴＭアナモフィック・フォーマットに比較して、低品質になる。
【００１７】
図２は、「スーパー３５、」として知られるフィルムフォーマットのフレーム２００を示す。スーパー３５は、現在のアナモフィック映写フォーマットである２．４０：１アスペクト比を備え、２．４０：１アナモフィック原板撮影のコストを低減するために導入される。この新フォーマットは、バーンスタインおよびエリクソン提案と一致して、４連続穿孔の高さの従来の３５ｍｍフィルムフレームよりも、３連続穿孔内に含まれるカメラアパーチャを同様に利用する。アナモフィック方式は、代表的映像２０２により明示されるように、撮影時に必要とされず、フィルム上で正確な円形のように見える。依然として原板フィルムは、映像を水平方向にスクィーズしまたは垂直方向に引き延ばし、次に拡大しまたは縮小することにより、フレームの左端における光学式サウンドトラック用の領域を有する公開用プリントフィルムに、変換される必要がある。しかし現代のデジタル処理は、光学式プリント機を用いて変換が行われる場合、通常的に発生する映像品質の劣化無しに、この変換を可能にする。例えば、映画「パニック・ルーム」は、図２で示されるアスペクト比を備えた３連続穿孔のスーパー３５で撮影され、図１のフォーマットにデジタル的に変換された。２．４０：１アスペクト比を備えたスーパー３５における撮影処理は、撮影時にスクィーズすることにより生成される歪みを除去するため用いられる。しかしながら、この実施の形態における映像領域は、０．５６９平方インチを有する標準規格のパナビジョンアナモフィック映写アパーチャに比較した場合、０．３７２平方インチにすぎないことに留意する必要がある。このように、撮影時にまたはスーパー３５から公開用プリントフィルムへの変換時には、いかなる映像劣化も無いが、映写時には、必要とされる倍率の増加により映像は劣化する。
【発明の開示】
【発明が解決しようとする課題】
【００１８】
上述の過程は、撮影で使用される原板のネガフィルムを低減するにあたって、４連続穿孔よりもむしろ、３連続穿孔フィルムフレームを用いることに焦点を合わせた。これらの過程のいくつかは、撮影時にアナモフィック方式を避けるか、または光学式プリント機を用いて公開用プリントフィルムに変換することを不要にすることにより、映像品質劣化への１個以上の要因を取り除いた。しかしながら、これらは全有効映像領域を使用することができない（したがって映写時に必要とされる倍率の量を増加させる）ため、結果として生じる映像を最適化することができない。したがって、原板のネガフィルムの映像領域を最大化し、映像品質を最大化するアナモフィック・イメージングシステムが必要とされ、これにより映写時に必要とされる倍率の量を減少することができると同時に、原板のネガフィルムを節約することができる。
【課題を解決するための手段】
【００１９】
本発明の実施の形態に従うアナモフィック・イメージングシステムは、映画またはデジタルアプリケーションにおいて最大化された映像撮影領域を利用することにより、倍率および表示される場合の倍率による映像劣化を低減することができるとともに、撮影時にアナモフィック・スクィーズの量を低減する結果、アナモフィック方式による映像劣化を低下することができる。撮影時に使用されるアナモフィック・スクィーズの量は、例えば、１６：９、すなわち大略１．３４を上回る２．４０：１の比率であり、映像撮影領域を最大化する。この比率以外のアナモフィック・スクィーズは、映像撮影領域を最大化せず、したがって全体的映像品質を最大化しないことに留意する必要がある。
【００２０】
フィルムアプリケーションにおいて、本発明は、高さが３連続穿孔にすぎないフィルムフレームを利用することにより、必要とされる原板フィルムの量を低減する。３連続穿孔高さのフィルムフレームにおける全有効フレーム領域は、大略０．９８０インチ幅および０．５４６インチ高さである。本発明の実施の形態は、１６：９アスペクト比を備え、全有効フレーム領域内に含まれ、映像領域を最大化するようなサイズに形成されたフレーム内で、映像を撮影する。フレームのサイズに合わせて映像を水平にスクィーズするとともに、映像撮影領域を最大化するように選択された、大略１．３４の水平スクィーズ比を備えるアナモフィック・レンズを用いて、映像は撮影される。
【００２１】
さらに、フレームは、映画アプリケーションに使用されるデジタル映像フレームを考慮したサイズに形成される。デジタル映像フレームは、デジタルテレビジョンと映画の両方に対して、映像を撮影するため用いられる。デジタルテレビジョンアスペクト比として１６：９（１．７８：１）が国際的に採用されたため、テレビジョンおよび電子的映画用のデジタルイメージングシステムは、１６：９アスペクト比を備えるように設計されている。加えて、電子的映画アプリケーション用のデジタル映像フレームは、上述した３連続穿孔フィルムの領域に近いサイズに設計されている。フィルムと同様に、本発明の実施の形態は、大略１．３４の水平スクィーズを備えたアナモフィック・レンズを用いて映像を撮影することにより、デジタル映像フレームの有効領域を最大化しようとする。
【００２２】
本発明の好適な実施の形態は、それゆえ、寸法が多数の因数を考慮して選択され、これらの因数は、フィルムとデジタルの両アプリケーションにいくらか適用可能であり、フィルムまたはデジタルのいずれかのアプリケーションにいくらか特定的であるような、映像撮影領域を用いる。映像領域を最大化するように映像撮影領域を選択することにより、倍率の低下および倍率による映像劣化の低減をもたらし、さらに撮影時にアナモフィック・スクィーズの量の低減をもたらし、その結果アナモフィック方式による映像劣化を低下させる。単一の映像撮影領域を用いることにより、同等のアナモフィック・レンズが、フィルムとデジタルの両撮影に対して同様に使用可能となる。映像撮影領域は、さらに、３連続穿孔の高さだけに選択されることにより、フィルムアプリケーション用に必要とされる原板フィルムの量を低減し、大略０．９８０インチ幅および０．５４６インチ高さから成る、３連続穿孔の高さの最大化映像領域内に適合させる。映像撮影領域は、さらに、デジタルテレビジョン用の１６：９アスペクト比を備え、デジタル映像フレームにおける大略０．９４５インチ幅および０．５３２インチ高さの全映像領域内に適合させるように選択される。
【００２３】
本発明の好適な実施の形態の映像撮影領域は、大略０．９００インチ幅および大略０．５０６インチ高さであり、大略１６：９のアスペクト比を与える。映像撮影領域は、３連続穿孔フィルムフレームの全有効フィルム領域内、およびデジタル映像フレームの全映像領域内に適合させる。
【００２４】
フィルムとデジタルの両アプリケーションに対して、映像は、大略１．３４：１水平スクィーズを備えた同等のアナモフィック・レンズを用いて、撮影される。１．３４：１水平スクィーズは、パナビジョンＴＭアナモフィック・フォーマットの２：１水平スクィーズよりも小さい。実質的に３連続穿孔フィルムフレームの全領域、または全デジタル映像領域を用いることと相まって、アナモフィック方式の度合いが低減する結果、スクリーン映像品質は、依然として従来の４連続穿孔フォーマットを上回る大略２５％のフィルムコストを節約するパナビジョンＴＭアナモフィック・フォーマットに対して、少なくとも等価となり、潜在的にはより高品質になる。
【００２５】
本発明の実施の形態は、既知のデジタル処理技術を利用することにより、原板のネガフィルムまたは撮影されたデジタル映像を、図１のフォーマットに変換する。図１のフォーマットでは、光学式プリント機のレンズを使用することにより生じる追加的な劣化を避けることができる。
【００２６】
本発明の一つの実施の形態において、原板フィルム上の映像は、デジタル的に垂直に引き延ばされ、次にフィルムプリントが結果的に図１のフォーマットになるように、デジタル的に再サンプリングされる。好適な実施の形態において、原板の映像は、垂直方向に大略４９％引き延ばされる。代案として、本発明の別の好適な実施の形態において、原板フィルム上の映像は、デジタル的に水平にスクィーズされ、次にフィルムプリントが結果的に図１のフォーマットになるように、デジタル的に再サンプリングされる。この好適な実施の形態において、原板の映像は、水平方向に大略４９％スクィーズされる。類似したデジタル処理が使用されることにより、１６：９映像を、デジタル映像フレームから公開用プリントフィルムに変換する。
【発明を実施するための最良の形態】
【００２７】
好適な実施の形態における以下の説明において、本出願の一部分を形成する添付図面が参照され、本発明が実施される特定の実施の形態が、図面を通して示される。当然のことながら別の実施の形態が利用され、構成上の変化が、本発明の好適な実施の形態の範囲から逸脱せずになされる。
【００２８】
本発明の実施の形態は、１６：９アスペクト比の最大化された映像撮影領域を利用することにより、ディスプレイ倍率、およびディスプレイ倍率による映像劣化を低下させ、撮影時におけるアナモフィック・スクィーズの量を低減する結果、アナモフィック方式による映像劣化を低下させる。撮影時に使用されるアナモフィック・スクィーズの量は、映像撮影領域を最大化するため、１６：９（映像撮影アスペクト比、すなわち大略１．３４、を上回るディスプレイアスペクト比の比率）を上回る２．４０：１の比率である。映像撮影アスペクト比を上回るディスプレイアスペクト比の比率以外のアナモフィック・スクィーズは、映像撮影領域を最大化せず、それゆえ全体的ディスプレイ映像品質を最大化しないことに留意する必要がある。
【００２９】
フィルムアプリケーションにおいて、本発明の実施の形態は、高さが３連続穿孔（パーフォレーション）にすぎないフィルムフレームを利用することにより、必要とされる原板フィルムの量を低減する。図３は、本発明の実施の形態に従うアナモフィック・イメージングシステムにより生成される、代表的な３連続穿孔アナモフィック・フィルムフレームを示す。図３における３連続穿孔の例において、全有効フレーム領域３００は、大略０．９８０インチ幅および０．５４６インチ高さであり、アスペクト比は大略１．７９：１を示し、アナモフィック的抽出に対する有効な領域は、大略０．４５５平方インチまたは０．５６９平方インチの領域を備えたパナビジョンＴＭ２．４０：１アナモフィック映写アパーチャの大略８０％を示す。本発明の実施の形態は、全有効フレーム領域３００内に含まれ、映像領域を最大化するサイズに形成されたフレーム３０２において、映像を撮影する。映像は、大略１．３４の水平スクィーズ比を備えたアナモフィック・レンズを用いて、フレーム３０２内で撮影され、映像を水平にスクィーズする一方、映像撮影領域を最大化するように選択される。
【００３０】
本発明の実施の形態に従うフレーム３０２は、連続穿孔または隣接したフレームに該当フレームが接近しすぎることを避けるため、有効フレーム領域３００と同等の幅または同等の高さを、望ましくは選択しない。
【００３１】
さらに、フレーム３０２は、映画アプリケーションに用いられるデジタル映像フレームを考慮したサイズに形成される。デジタル映像フレームは、デジタルテレビジョンと映画の両方で、映像を撮影するため用いられる。高精細度テレビジョン（ＨＤＴＶ）用のデジタル標準規格は、１６：９（１．７８：１）アスペクト比を規定する。ＨＤＴＶ標準規格のため、デジタル映像フレームは、大略１６：９アスペクト比を備えるように設計されている。加えて、デジタル映像フレームが映画アプリケーションにも同様に用いられるため、デジタル映像フレームは、上述したような３連続穿孔フィルムの領域に近いサイズに設計されている。図４は、ＨＤＴＶ用の１６：９映像４００、または映画アプリケーション用のスーパー３５フレーム４０２を撮影することが可能なデジタル映像フレーム４００を示す（図２における参照符号２００を参照）。しかしながら、映像領域４０２が映画フレームを撮影するため用いられる場合、全映像領域４００の大略３０％は、未使用になっていることに留意する必要がある。例えば、デジタル映像フレーム４００が１９２０ピクセル幅および１０８０ピクセル高さの場合、映像領域４０２で使用される有効水平ライン数は、１０８０ではなく８００にすぎず、残りのラインは無駄になる。原板のスーパー３５フィルムと同様に、スーパー３５デジタルフレーム４０２は、図１の公開用プリントフォーマットに変換される必要があり、映像領域が小さいため、拡大時に映像劣化が生じる。それゆえ、フィルムと同様に本発明の実施の形態は、水平スクィーズが大略１．３４のアナモフィック・レンズを用いて映像を撮影することにより、デジタル映像フレーム４００の有効領域を最大化するようにする。
【００３２】
好適な本発明の実施の形態は、それゆえ、寸法が多数の因数を考慮して選択され、これらの因数は、フィルムとデジタルの両アプリケーションにいくらか適用可能であり、フィルムまたはデジタルのいずれかのアプリケーションにいくらか特定的であるような、映像撮影領域を用いる。映像撮影領域は、映像領域を最大化するように選択されることにより、映写倍率および映写倍率による映像劣化を低減し、撮影時にアナモフィック・スクィーズの量を低減する結果、アナモフィック方式による映像劣化を低下させる。単一の映像撮影領域を用いることにより、同等のアナモフィック・レンズが、フィルムまたはデジタルのいずれかの撮影に対して、同様に使用可能となる。映像撮影領域は、さらに、３連続穿孔の高さだけに選択されることにより、フィルムアプリケーション用に必要とされる原板フィルムの量を低減し、大略０．９８０インチ幅および０．５４６インチ高さから成る、３連続穿孔の高さの最大化映像領域内に適合させる。映像撮影領域は、さらに、ＨＤＴＶ用の１６：９アスペクト比を備え、デジタル映像フレームにおける大略０．９４５インチ幅および０．５３２インチ高さの全映像領域内に適合させるように選択される。
【００３３】
好適な本発明の実施の形態の映像撮影領域は、図３において、フィルム領域３０２（フィルムアプリケーション）のように示され、図４において、映像領域４０４（デジタルアプリケーション）のように示される。いずれのアプリケーションにおいても、映像撮影領域は、大略０．９００インチ幅および大略０．５０６インチ高さであり、大略１６：９のアスペクト比を与える。映像撮影領域は、図３の３連続穿孔の最大化フィルムフレーム３００と、図４の全映像領域４００の両方の領域内に適合させる。図３のフィルムの実施の形態において、典型的には光学式サウンドトラック用に予約されたフィルムフレームの左側に位置する領域は保持されず、その代わりにネガの全幅が使用され、フィルム上で撮影される領域をより広くできることに留意する必要がある。
【００３４】
フィルムとデジタルの両アプリケーションに対して、映像は、１．３４：１水平スクィーズを備えた同等のアナモフィック・レンズを用いて撮影される。１．３４：１水平スクィーズは、パナビジョンＴＭアナモフィック・フォーマットの２：１水平スクィーズよりも小さい。実質的に３連続穿孔フィルムフレーム３００の全領域、または全映像領域４００を用いることと合わせて、アナモフィック方式の度合いが低減する結果（これは映写時に倍率がより小さくなることを意味する）、スクリーン映像品質は、依然として従来の４連続穿孔フォーマットを上回る大略２５％のフィルムコストを節約するパナビジョンＴＭアナモフィック・フォーマットに対して、少なくとも等価となり、潜在的にはより高品質になる。特に、大略１．３４：１にすぎない倍率のアナモフィック・レンズが、撮影時に映像をスクィーズするのに必要とされるだけなので、撮影において倍率が２倍のアナモフィック・レンズを使用するパナビジョンＴＭアナモフィック・フォーマットに比較して、撮影時に生じる劣化はより少なくなる。
【００３５】
映画アプリケーションにおいて、映像が、いったん本発明の実施の形態の映像撮影領域に従って、原板フィルム上にまたはデジタル的に撮影されれば、映像はやはり公開用プリントフィルムに変換されなければならない。上述したように、ほとんどの現存する従来の映写システムは、（１）フレーム毎に４連続穿孔をプルダウンする、（２）光学式サウンドトラックがフィルムフレームの左端の全体にそって記録される必要がある、および（３）スクィーズされた映像を元に戻すため２：１倍率のアナモフィック・レンズを利用する、映写機を使用する。従来の２．４０：１ワイドスクリーンフォーマットで映写するつもりであれば、従来の映写システムと互換性を取るため、公開用プリントは図１のようにフォーマットされる必要がある。上述したように、図１のフォーマットにおいて原板フィルムの公開用プリントフィルムへの変換は、歴史的には光学ベンチ上で実行され、映像劣化を生じさせていた。しかしながら、本発明の実施の形態は、変換を実行するため既知のデジタル処理技術を利用し、光学上の追加的な劣化が生じることを回避する。
【００３６】
図５に示す本発明の一つの代表的実施の形態において、原板フィルム５００上の映像がデジタル的に水平にスクィーズされることにより、中間映像５０２が生成され、次にデジタル的に再サンプリングされることにより（中間映像５０２のアスペクト比を維持したまま）、最終用または公開用プリント映像５０４が生成される。図５の代表的実施の形態において、原板の映像は、水平方向に大略４９％スクィーズされ、次に中間映像は、フィルムプリントが図１のフォーマットになるように再サンプリングされる。しかし当然のことながら、ここにおいて記載された寸法およびパーセンテージは、代表的なものにすぎず、他の寸法およびパーセンテージが本発明の実施の形態に従って用いられてもよい。
【００３７】
代案として、図６に示される本発明の別の代表的実施の形態において、原板フィルム６００上の映像がデジタル的に垂直に引き延ばされることにより、中間映像６０２が生成され、次にフィルムプリントが結果的に図１のフォーマットになるように、デジタル的に再サンプリングされることにより（中間映像６０２のアスペクト比を維持したまま）、最終用または公開用プリント映像６０４が生成される。図６の代表的実施の形態において、原板の映像は垂直方向に大略４９％引き延ばされ、次に中間映像は再サンプリングされ、図１のフォーマットが与えられる。当然のことながら、ここにおいて記載された寸法およびパーセンテージは、代表的なものにすぎず、他の寸法およびパーセンテージが本発明の実施の形態に従って用いられてもよい。類似したデジタル処理が、デジタル映像フレームから図５の公開用プリントフィルム５０４または図６の公開用プリントフィルム６０４に変換するため、用いられてもよい。
【００３８】
本発明は、本発明の実施の形態に関連して、添付図面を参照して十分説明されてきたが、種々の変化および修正が、当業者には明らかになることに留意する必要がある。上述した変化および修正は、当然のことながら、添付された請求の範囲により定義される本発明の範囲内に含まれる。
【図面の簡単な説明】
【００３９】
【図１】パナビジョンＴＭアナモフィック・フォーマットを用いて生成された原板フィルムフレーム例を示す。
【図２】アナモフィック・フォーマットで撮影するコスト、すなわち図１のように２．４０：１アスペクト比で変換および公開するための２．４０：１アナモフィック原板ネガフィルムのコスト、を低減する目的で導入された「スーパー３５、」として知られるフィルムフォーマットのフレームを示す。
【図３】本発明の実施の形態に従うアナモフィック・イメージングシステムにより生成される代表的３連続穿孔アナモフィック・フィルムフレームを示す。
【図４】本発明の実施の形態に従うアナモフィック・イメージングシステムにより生成されるデジタル映像を撮影することが可能な代表的デジタル映像フレームを示す。
【図５】本発明の実施の形態に従って撮影された映像を最終用または公開用プリント映像に変換する一つの代表的処理を示す。
【図６】本発明の実施の形態に従って撮影された映像を最終用または公開用プリント映像に変換する別の代表的処理を示す。
【図１】
2007532948.tif 000003
【図２】
2007532948.tif 000004
【図３】
2007532948.tif 000005
【図４】
2007532948.tif 000006
【図５】
2007532948.tif 000007
【図６】
2007532948.tif 000008
【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
撮影映像のアスペクト比がディスプレイのアスペクト比と異なる場合、原板の撮影時に、前記映像の映像品質を最大化するように、前記映像を撮影する方法であって、
原板の撮影時に、大略、前記ディスプレイアスペクト比を前記撮影映像アスペクト比で割った値に、撮影レンズのアナモフィック比を選択し、
全有効フレーム領域を可能な限り利用するサイズに形成されたフレーム内で、前記映像を撮影し、
撮影映像のアスペクト比は、デジタル映像フレームの１６：９アスペクト比に等しく選択される、ことを特徴とする、方法。
【請求項２】
前記全有効フレーム領域は、フィルムの左および右側で、規則的な連続穿孔を含むフィルムにおいて、高さが３連続穿孔以下で、幅が前記フィルムの前記左および右側における前記連続穿孔間の間隔以下であることを特徴とする、請求項１に記載の方法。
【請求項３】
さらに、前記アナモフィック比を大略１．３４：１に選択する、ことを特徴とする、請求項２に記載の方法。
【請求項４】
さらに、
前記アナモフィック比を選択し、
大略０．９００インチ幅と大略０．５０６インチ高さの映像撮影領域を与えるように、前記フレームのサイズを形成する、ことを特徴とする、請求項１に記載の方法。
【請求項５】
請求項１に記載の方法に従って撮影映像から、公開用プリント映像を生成する方法であって、
前記映像を垂直に引き延ばし、
デジタル処理技術を利用して中間映像を生成し、
デジタル処理技術を用いて、水平と垂直の両方向に前記中間映像を再サンプリングすることにより、前記公開用プリント映像を生成する、ことを特徴とする方法。
【請求項６】
さらに、
前記映像を、垂直方向に大略４９％だけ引き延ばし、
前記中間映像を、前記水平と垂直の両方向に、大略９．３％だけ再サンプリングする、ことを特徴とする、請求項５に記載の方法。
【請求項７】
請求項１に記載の方法に従って撮影映像から、公開用プリント映像生成する方法であって、
デジタル処理技術を利用して、前記水平方向に前記映像スクィーズすることにより、中間映像を生成し、
デジタル処理技術を用いて、水平と垂直の両方向に前記中間映像を再サンプリングすることにより、前記公開用プリント映像を生成する、ことを特徴とする方法。
【請求項８】
さらに、
前記映像を、前記水平方向に大略４９％だけスクィーズし、
前記中間映像を、前記水平と垂直の両方向に、大略３６．４％だけ再サンプリングする、ことを特徴とする、請求項７に記載の方法。
【請求項９】
映像を撮影するアナモフィック・イメージングシステムであって、
前記映像を、全有効フレーム領域内に適合した映像撮影領域に、水平方向にスクィーズするアナモフィック・レンズを有し、
前記アナモフィック・レンズは、アスペクト比を大略１６：９に保持するとともに、前記全有効フレーム領域の幅を可能な限り利用することにより、水平スクィーズ比が前記映像撮影領域と映像品質を最大化するように選択されることを特徴とする、アナモフィック・イメージングシステム。
【請求項１０】
前記全有効フレーム領域は、フィルムの左および右側で、規則的な連続穿孔を含むフィルムにおいて、高さが３連続穿孔以下で、幅が前記フィルムの前記左および右側における前記連続穿孔間の間隔以下であることを特徴とする、請求項９に記載のアナモフィック・イメージングシステム。
【請求項１１】
前記アナモフィック・レンズは、水平スクィーズが大略１．３４：１であることを特徴とする、請求項９に記載のアナモフィック・イメージングシステム。
【請求項１２】
前記アナモフィック・レンズは、前記映像撮影領域がデジタル映像フレームの前記寸法内に適合可能なように、水平スクィーズを選択することを特徴とする、請求項９に記載のアナモフィック・イメージングシステム。
【請求項１３】
さらに、前記撮影映像を垂直に引き延ばすことにより、中間映像を生成し、水平と垂直の両方向に前記中間映像を再サンプリングすることにより、公開用プリント映像を生成する、ようにプログラムされたデジタル映像プロセッサを有することを特徴とする、請求項９に記載のアナモフィック・イメージングシステム。
【請求項１４】
前記デジタル映像プロセッサは、さらに、前記映像を、前記垂直方向に大略４９％だけ引き延ばし、前記中間映像を、前記水平と垂直の両方向に再サンプリングする、ようにプログラムされたことを特徴とする、請求項１３に記載のアナモフィック・イメージングシステム。
【請求項１５】
さらに、前記撮影映像を水平にスクィーズすることにより、中間映像を生成し、水平と垂直の両方向に前記中間映像を再サンプリングすることにより、公開用プリント映像を生成する、ようにプログラムされたデジタル映像プロセッサを有することを特徴とする、請求項９に記載のアナモフィック・イメージングシステム。
【請求項１６】
前記デジタル映像プロセッサは、さらに、前記映像を、前記水平方向に大略４９％だけスクィーズし、前記中間映像を、前記水平と垂直の両方向に再サンプリングする、ことを特徴とする、請求項１５に記載のアナモフィック・イメージングシステム。
【国際調査報告】
2007532948.tif 000009
2007532948.tif 000010